(57)【要約】【課題】液体Ｂの付加・混入の比率の設定を容易とすること、および液体Ｂの液体Ａの混合分布をより均一にすること。【解決手段】第１ギヤポンプと第２ギヤポンプとの回転差により第２ラインに負圧を発生さて、液体Ｂの混合口より液体Ｂを第２ラインに流入することで、第１ラインより第２ラインに流入している液体Ａと混合口より液体Ｂとを混合する。第２ラインと混合液体の吐出口とを連通する第３ラインを有し、該第３ラインの途中に攪拌器を装備し、攪拌器を駆動する第３駆動モータを有し、第３ラインにおいて、液体Ｂを液体Ａ内に分散させて混合液体Ｃを形成する。【選択図】図２
2020157286.tif 000002
【特許請求の範囲】
【請求項１】
第１ギヤポンプと第１駆動モータを有し、液体Ａを流入する第１ラインを有し、液体Ａを第１ラインより液体Ａを流入・圧縮するところの、第１工程と、
第２ギヤポンプと第２駆動モータと有し、第１ギヤポンプと第２ギヤポンプを連通する第２ラインを有し、該第２ラインに液体Ｂの混合口と有し、
第１ギヤポンプと第２ギヤポンプとの回転差により第２ラインに負圧を発生さて、液体Ｂの混合口より液体Ｂを第２ラインに流入するとともに、第１ラインより第２ラインに流入している液体Ａと混合口より液体Ｂとを混合するところの、第２工程と、
第２ラインと混合液体の吐出口とを連通する第３ラインを有し、該第３ラインの途中に攪拌器を装備し、攪拌器を駆動する第３駆動モータを有し、連通する第３ラインを有し、液体Ｂを液体Ａ内に分散させて混合液体Ｃを形成するところの、第３工程と、を含み
第１駆動モータ、第２駆動モータ、第２駆動モータの回転制御を互いに独立させて第１ギヤポンプ、第２ギヤポンプ、攪拌器のそれぞれの回転数の設定を独立して任意とし、混合液体Ｃにおける、液体Ａと液体Ｂとの混合比の選択を自在としたことを特徴とする二液混合塗布剤の塗布システム。
【請求項２】
第１ギヤポンプと第１駆動モータを有し、液体Ａを流入する第１ラインを有し、液体Ａを第１ラインより液体Ａを流入・圧縮するところの、第１工程と、
第２ギヤポンプと第２駆動モータと有し、第１ギヤポンプと第２ギヤポンプを連通する第２ラインを有し、該第２ラインに液体Ｂの混合口と有し、
第１ギヤポンプと第２ギヤポンプとの回転差により第２ラインに負圧を発生さて、液体Ｂの混合口より液体Ｂを第２ラインに流入するとともに、第１ラインより第２ラインに流入している液体Ａと混合口より液体Ｂとを混合するところの、第２工程と、
第２ラインと混合液体の吐出口とを連通する第３ラインを有し、該第３ラインの途中に攪拌器を装備し、攪拌器を駆動する第３駆動モータを有し、連通する第３ラインを有し、液体Ｂを液体Ａ内に分散させて混合液体Ｃを形成するところの、第３工程と、
第３工程の混合液体の吐出口に、ホースを介して塗布装置に連通するラインを有し、混合液体Ｃを塗布基材に塗布する第４工程とを含み
第１駆動モータ、第２駆動モータ、第２駆動モータの回転制御を互いに独立させて第１ギヤポンプ、第２ギヤポンプ、攪拌器のそれぞれの回転数の設定を独立して任意とし、混合液体Ｃにおける、液体Ａと液体Ｂとの混合比の選択を自在としたことを特徴とする二液混合塗布剤の塗布システム。
【発明の詳細な説明】
【発明の詳細な説明】
【技術分野】
【０００１】  本発明は、液体Ａと液体Ｂとの混合により形成される二液混合塗布剤に関するものである。より詳しくは、液体Ａ＋液体Ｂとの混合により形成される二液混合塗布剤の塗布システムに関するものである。
【背景技術】
【０００２】  この種の二液混合塗布剤の塗布システムとして、特許文献１の特開２００２−６６３９６「二液混合型吐出装置」は、図４参照して、液体Ａ（主剤）の供給路ＡＡと、液体Ｂ（硬化剤）の供給路ＢＢとを互いに独立して形成し、両供給路ＡＡ、ＢＢの先端を単一の塗布剤塗布装置ＣＣに接続し、単一の塗布剤塗布装置ＣＣにそれぞれの両供給路ＡＡ、ＢＢのポンプの回転を制御することで、液体Ａと液体Ｂとの混合割合を制御して、塗布剤塗布装置ＣＣより所定の混合比の二液混合塗布剤を吐出している。
特許文献２の特開２００５−１５２７１０、特許４５０５８５１は、図５を参照して、供給路を単一とすることで、上記の特許文献１の特開２００２−６６３９６「二液混合型吐出装置に比して、構造及び制御を簡素化している。【０００３】
【特許文献１】特開２００２−６６３９６
【特許文献２】特開２００５−１５２７１０：特許４５０５８５１
【発明の開示】
【発明が解決しようとする課題】
【０００４】  上記の特開２００２−６６３９６「二液混合型吐出装置」の発明を適用するには、第２工程において、気体「ガス」に変えて液体Ｂを適用することとなる。その結果、液体Ａに対する均一な液体Ｂの混合分布は不可能である。
よって、本発明は、液体Ｂの液体Ａの混合分布をより均一にすることを課題とする。
【課題を解決するための手段】
【０００５】  本願第１発明は、第１ギヤポンプと第１駆動モータを有し、液体Ａを流入する第１ラインを有し、液体Ａを第１ラインより液体Ａを流入・圧縮するところの、第１工程と、
第２ギヤポンプと第２駆動モータと有し、第１ギヤポンプと第２ギヤポンプを連通する第２ラインを有し、該第２ラインに液体Ｂの混合口と有し、
第１ギヤポンプと第２ギヤポンプとの回転差により第２ラインに負圧を発生さて、液体Ｂの混合口より液体Ｂを第２ラインに流入するとともに、第１ラインより第２ラインに流入している液体Ａと混合口より液体Ｂとを混合するところの、第２工程と、
第２ラインと混合液体の吐出口とを連通する第３ラインを有し、該第３ラインの途中に攪拌器を装備し、攪拌器を駆動する第３駆動モータを有し、連通する第３ラインを有し、液体Ｂを液体Ａ内に分散させて混合液体Ｃを形成するところの、第３工程と、を含み
第１駆動モータ、第２駆動モータ、第２駆動モータの回転制御を互いに独立させて第１ギヤポンプ、第２ギヤポンプ、攪拌器のそれぞれの回転数の設定を独立して任意とし、
混合液体Ｃにける、液体Ａと液体Ｂとの混合比の選択を自在としたことを特徴とする二液混合塗布剤の製造システム方法を提供する。
本願第２発明は、第１発明に加えて、第３工程の混合液体の吐出口に、ホースを介して塗布装置に連通するラインを有し、混合液体Ｃを塗布基材に塗布する第４工程を塗布ラインを追加したことを特徴とする二液混合塗布剤の製造システム方法を提供する。
【作用】
【０００６】  本発明は、第２工程において、第１ギヤポンプと第２ギヤポンプとの回転差により第２ラインに負圧を発生さて、液体Ｂの混合口より液体Ｂを第２ラインに流入するとともに、第１ラインより第２ラインに流入している液体Ａと混合口より液体Ｂとを混合・圧縮する。
第３工程において、第３ラインに攪拌器を設けて、第２工程において混合・圧縮されている液体Ａと液体Ｂとを攪拌して、液体Ｂを液体Ａ内に分散させて混合液体Ｃを形成する。
第１駆動モータ、第２駆動モータ、第２駆動モータの回転制御を互いに独立させて第１ギヤポンプ、第２ギヤポンプ、攪拌器のそれぞれの回転数の設定を独立して任意である。
【発明の効果】
【０００７】  本発明は、第１ギヤポンプ、第２ギヤポンプ、混合器（攪拌器）のそれぞれの回転数の設定を独立して任意としたことで、混合液体Ｃにける、液体Ａと液体Ｂとの混合比の選択を自在とする効果を有する。
更に、攪拌器によるミキシングを、第２行程と独立させ、第３工程としたことで、ミキシング効果を向上することで、均一な混合とすることができとともに、混合度合の選択が容易である。
【図面の簡単な説明】
【０００８】
【図１】本願発明の２液体混合型塗布剤の塗布システムの大要を示す構成図。
【図２】同じく概略構成説明図。
【図３】同じく実施例を示す概略構成説明図・
【図４】公知例の特許文献１の２液体混合型塗布装置の概略構成説明図。
【図５】公知例の特許文献２の気泡入り「発砲」ホットメルト塗布装置の大要を示す構成図。
【発明を実施するための形態】
【０００９】  図面に示す本発明の実施例にもとづいて本発明を詳細に説明する。
【００１０】  図１参照して、本願発明の２液体混合型塗布剤の塗布システムの基本構成を説明する。
【００１１】  第１ギヤポンプＧＰ１、第１駆動モータＭ１を含む第１工程１と：第２ギヤポンプＧＰ１、第２駆動モータＭ２を含む第２工程２と：攪拌器ＭＸ、第３駆動モータＭ３を含む第３工程３と：を設ける。
第１工程１において、流体Ａを流入し、第２工程２に、液体Ａを供給する。
第２工程２において、負圧現象により流体Ｂを流入し、第１工程１より流入する液体Ａに，液体Ｂを混合する。
第３工程３において、攪拌器ＭＸを設けて、第２工程２において混合されている液体Ａと液体Ｂとを攪拌することで、液体Ｂを液体Ａ内に分散させ、混合液体Ｃを形成する。
【００１２】  図２を参照して、本発明の概略構成を説明する。
【００１３】  第１工程１は、第１ギヤポンプＧＰ１と第１駆動モータＭ１を有し、液体Ａを流入する第１ライン１１を有し、第１ラインよりの液体Ａを流入・圧縮する。
【００１４】  第２工程２は、第２ギヤポンプＧＰ２と第２駆動モータＭ２と有し、第１ギヤポンプと第２ギヤポンプを連通する第２ライン１２を有し、該第２ライン１２に液体Ｂの混合口２１とを塗布装置４０とに連通するする。
第１ギヤポンプＧＰ１と第２ギヤポンプＧＰ１との回転差により第２ラインに負圧を発生さることで、液体Ｂの混合口２１より液体Ｂを第２ライン１２に流入する。
第１ライン１１より第２ライン１２に流入している液体Ａと、混合口２１よりの液体Ｂとが混合する。
【００１５】  第３工程３は、攪拌器ＭＸと第３駆動モータＭ３とを有し、第２ライン１２と、混合液体Ｃの吐出口３１とを連通する第３ライン１３を有する。
第３ライン１３の攪拌器ＭＸにより、第２工程２において混合されている液体Ａと液体Ｂとを攪拌して、液体Ｂを液体Ａ内に分散させて混合液体Ｃを形成する。
【００１６】  第４工程４は、第３ライン１２の混合液体の吐出口３１を、塗布装置４０に連通するホース４１により塗布ライン１４を構成し、混合液体Ｃを塗布装置４０に供給する。
塗布装置４０の作動で、混合液体Ｃを、塗布基材に塗布する。
【実施例】
【００１７】図３を参照して、本発明の実施例を説明する。【００１８】  第１工程１の第１ギヤポンプＧＰ１と第１駆動モータＭ１、第２工程２の第２ギヤポンプＧＰ２と第２駆動モータＭ２は、それぞれ、ギヤポンプと可変速ドライブを装備する。
第２工程２の可変速ドライブは、第１工程１の可変速ドライブの供給量よりも大であることを条件とする。
第３工程３は、ミキシングと可変速ドライブを装備する。【００１９】  実施例においては、
液体Ａは、粘着性のある液体状のもの（ジェル（ｇｅｌ））を適用した。
液体Ｂは、液体状の付加剤（例えば硬化剤）を適用した。
液体Ｂの３％、５％、１０％、１５％の付加混入に成功した。
第１工程１において、液体Ａの塗布量を設定した。
第２工程２において、液体Ｂの付加・混入量を設定した。
第３工程３において、ミキシングして混入分布を設定した。
【産業上の利用可能性】
【００２０】  本発明は、粘性のある液体である液体Ａと、液体Ａに対する付加添加剤の液体である液体Ｂとの混合により、二液混合塗布剤の混合液体Ｃを製造するにあたり、液体Ｂの付加・混入の比率の設定を容易とすることで、二液混合塗布剤の利用を増進するものであり、塗布剤産業の発展に寄与するである。
【符号の説明】
【００２１】１１：第１ライン
１２：第２ライン
１３：第３ライン
ＧＰ１：第１ギヤポンプ
ＧＰ２：第２ギヤポンプ
ＧＰ３：第３ギヤポンプ
Ｍ１：第１駆動モータ
Ｍ２：第２駆動モータ
Ｍ３：第３駆動モータ
ＭＸ：攪拌器
【図１】
2020157286.tif 000003
【図２】
2020157286.tif 000004
【図３】
2020157286.tif 000005
【図４】
2020157286.tif 000006
【図５】
2020157286.tif 000007